(57)【特許請求の範囲】
【請求項１】
チャイルドシートを被覆する袋形をなし、口部を有するチャイルドシート用カバーにおいて、口部側を全周に亘って深さ方向へ伸縮が自在の伸縮部とし、該伸縮部よりも底部側を全周に亘って前記伸縮部に縫製されている網部としてあることを特徴とするチャイルドシート用カバー。
【請求項２】
前記伸縮部は編成された布である請求項１記載のチャイルドシート用カバー。
【請求項３】
前記網部は光反射性を有する糸が網織りされている請求項１記載のチャイルドシート用カバー。
【請求項４】
チャイルドシートを被覆する袋形をなし、口部を有するチャイルドシート用カバーにおいて、口部側を全周に亘って深さ方向へ伸縮が自在の伸縮部とし、該伸縮部よりも底部側を、全周に亘って前記伸縮部に縫製され光反射性を有する糸が網織りされた網部としてあり、口部は周方向へ伸縮が自在のゴム紐を有することを特徴とするチャイルドシート用カバー。
【発明の詳細な説明】
【０００１】
【発明の属する技術分野】
本発明は、自動車の座席に装着されるチャイルドシートを被覆するチャイルドシート用カバーに関する。
【０００２】
【従来の技術】
近年、自動車事故の発生時に乗車中の幼児、児童の安全を確保するため、チャイルドシートの使用が義務付けられている。このチャイルドシートは、幼児、児童の体格に合わせて形成され、身体固定用のベルトを備える補助座席であり、車内の座席上に載置し、該座席に備えられた大人用のシートベルトにより固定、又は、特別に装備された取付具により固定して用いられる。
【０００３】
このように車内の座席上に装着されるチャイルドシートには自動車のフロントガラス、リヤガラス、フロントドア及びリヤドアの窓から室内に差し込む日差しが当たるため、この日差しによるチャイルドシートの過熱を避けるべくチャイルドシートに被覆する袋形のカバーが使用されている。
【０００４】
このカバーはアルミニウム材が蒸着された合成樹脂フィルムからなり、口部に設けられた紐部材によって口部を絞ることによりチャイルドシートに取付けるように構成されている。
【０００５】
ところで、チャイルドシートには座席部と背凭れ部とが一体になった一体タイプと、座席部に対して背凭れ部が起伏可能になったリクライニングタイプとがある。このリクライニングタイプは背凭れ部が起きている場合、前記一体タイプの形態と同様であるため、１つのカバーを一体タイプとリクライニングタイプとに共用することが可能である。
【０００６】
【発明が解決しようとする課題】
ところが、リクライニングタイプの場合、背凭れ部が起きているときは略Ｌ字形の形態であるのに対し、背凭れ部が倒れているときは略一字形の形態となり、背凭れ部が起きているときの全体長さに比べて背凭れ部が倒れているときの全体長さが比較的長くなるため、背凭れ部が倒れているチャイルドシートを全体的に被覆することができず、改善策が要望されていた。
【０００７】
本発明は斯かる事情に鑑みてなされたものであり、口部側を深さ方向へ伸縮が自在の伸縮部とすることにより、背凭れ部の起／倒に影響されることなくチャイルドシートを全体的に被覆することができるチャイルドシート用カバーを提供することを目的とする。
【０００８】
また、伸縮部を編成された布とすることにより、被覆性を確保しつつ伸縮部の強度を高めることができるチャイルドシート用カバーを提供することを目的とする。
また、前記伸縮部よりも底部側を網部とすることにより、日差しによって内側に熱気がこもるのを防ぐことができるチャイルドシート用カバーを提供することを目的とする。
また、光反射性を有する糸が網織りされている網部とすることにより、日除け効果を高めることができるチャイルドシート用カバーを提供することを目的とする。
【０００９】
【課題を解決するための手段】
第１発明に係るチャイルドシート用カバーは、チャイルドシートを被覆する袋形をなし、口部を有するチャイルドシート用カバーにおいて、口部側を全周に亘って深さ方向へ伸縮が自在の伸縮部とし、該伸縮部よりも底部側を全周に亘って前記伸縮部に縫製されている網部としてあることを特徴とする。
【００１０】
第１発明にあっては、背凭れ部が起きている場合、伸縮部を殊更伸ばすことなくチャイルドシートを全体的に被覆することができ、また、背凭れ部が倒れている場合、伸縮部を深さ方向へ伸ばすことによりチャイルドシートを全体的に被覆することができ、背凭れ部の起／倒に影響されることなくチャイルドシートを全体的に被覆することができる。しかも、網部によってカバー内側の通気性を良好にできるため、日差しによってチャイルドシート用カバーの内側に熱気がこもるのを防ぐことができる。
【００１１】
第２発明に係るチャイルドシート用カバーは、前記伸縮部は編成された布であることを特徴とする。
第２発明にあっては、伸縮性がない比較的耐強度の糸で編成された布を用いることができるため、被覆性を確保しつつ伸縮部の強度を高めることができ、しかも、伸縮部を縫製によって容易に結合することができる。
【００１３】
第３発明に係るチャイルドシート用カバーは、前記網部は光反射性を有する糸が網織りされていることを特徴とする。
第３発明にあっては、カバー内側の通気性を保ちつつ日差しの光を網部で反射させることができ、日除け効果を高めることができる。
【００１４】
第４発明に係るチャイルドシート用カバーは、チャイルドシートを被覆する袋形をなし、口部を有するチャイルドシート用カバーにおいて、口部側を全周に亘って深さ方向へ伸縮が自在の伸縮部とし、該伸縮部よりも底部側を、全周に亘って前記伸縮部に縫製され光反射性を有する糸が網織りされた網部としてあり、口部は周方向へ伸縮が自在のゴム紐を有することを特徴とする。
【００１５】
第５発明にあっては、背凭れ部が起きている場合、伸縮部を殊更伸ばすことなくチャイルドシートを全体的に被覆することができ、また、背凭れ部が倒れている場合、伸縮部及び口部のゴム紐を伸ばすことによりチャイルドシートを全体的に被覆することができ、背凭れ部の起／倒に影響されることなくチャイルドシートを全体的に被覆することができる。しかも、日差しによってチャイルドシート用カバーの内側に熱気がこもるのを防ぐことができるとともに、日差しの光を網部で反射させることができ、日除け効果を高めることができる。また、被覆性を確保しつつ伸縮部の強度を高めることができる。
【００１６】
【発明の実施の形態】
以下本発明をその実施の形態を示す図面に基づいて詳述する。図１は本発明に係るチャイルドシート用カバーの表裏を反転した状態の斜視図、図２はチャイルドシート用カバー及びチャイルドシートの斜視図である。
チャイルドシート用カバー１は、座席部２１と、該座席部２１に対して起伏が可能な背凭れ部２２とを備えたリクライニングタイプのチャイルドシート２用であり、背凭れ部２２が起きている状態で表面を全体的に被覆することができるように袋形に形成されている。このチャイルドシート用カバー１は口部１１側を伸縮部１２としてあり、この伸縮部１２よりも底部側を座席部２１の前縁から背凭れ部２２の上縁にかけて被覆する大きさの網部１３としてある。伸縮部１２は前記座席部２１及び背凭れ部２２の側面を被覆する大きさに形成されている。
【００１７】
この伸縮部１２はポリエステル等の熱可塑性繊維を編成することにより深さ方向へ伸縮が自在となるように構成されており、編成された矩形の布の長手方向両端（非伸縮方向の両端）を縫製することにより環状とし、この環状の布の一端（伸縮が自在となる方向の一端）が網部１３の周縁に縫製されている。また、環状の布の他端、換言すれば前記口部１１には環状の紐通部１４が設けてあり、該紐通部１４に紐通部１４の周長よりも短い長さのゴム紐１５を挿入し、該ゴム紐１５の両端を結合して周方向へ伸縮自在とすることにより、紐通部１４に皺をよらせ、口部１１を拡径させる方向へ伸縮自在としてある。
【００１８】
網部１３は光反射性を高めるための加工が施されたポリエステル等の熱可塑性糸を網織りすることにより、網戸の網目よりも若干小さい網目とされた布からなり、この布を略円形に裁断し、その周縁に前記伸縮部１２（環状布の一端）が縫製されている。
【００１９】
また、内側で、前記伸縮部１２と網部１３との縫製部１６には、全体を比較的小さく畳んで収容するための矩形の収納袋１７が縫い付けられている。この収納袋１７の口部には口紐１８が保持されている。
【００２０】
図３は座席部に対して背凭れ部が起きている状態のチャイルドシートにチャイルドシート用カバーを被覆した状態の斜視図、図４は座席部に対して背凭れ部が倒れている状態のチャイルドシートにチャイルドシート用カバーを被覆した状態の斜視図である。
【００２１】
以上のように構成されたチャイルドシート用カバー１を座席部２１に対して背凭れ部２２が起きている状態のチャイルドシート２に被覆する場合、ゴム紐１５を伸長させつつ口部１１を拡径することにより座席部２１の前縁から背凭れ部２２の上縁にかけて網部１３が被覆し、座席部２１及び背凭れ部２２の側面を伸縮部１２が被覆し、口部１１を座席部２１及び背凭れ部２２の下縁部に引っ掛けることによりゴム紐１５の弾性復元によって口部１１が絞られ、チャイルドシート用カバー１を保持することができる。
【００２２】
また、座席部２１に対して背凭れ部２２が倒れている状態のチャイルドシート２に被覆する場合、背凭れ部２２が起きているときの全体長さに比べて全体の長さが比較的長くなっているため、ゴム紐１５を伸長させつつ口部１１を拡径することにより座席部２１の前縁から背凭れ部２２の上縁にかけて網部１３が被覆し、さらに、伸縮部１２を深さ方向へ伸長させることにより座席部２１及び背凭れ部２２の側面を伸縮部１２が被覆し、口部１１を座席部２１及び背凭れ部２２の下縁部に引っ掛けることによりゴム紐１５の弾性復元によって口部１１が絞られ、チャイルドシート用カバー１を保持することができる。
【００２３】
このように口部１１側を伸縮部１２としてあるため、チャイルドシート２の形態が異なる場合においても、伸縮部１２を深さ方向へ伸長させることによりチャイルドシート２を全体的に被覆することができる。しかも、座席部２１の前縁から背凭れ部２２の上縁にかけて被覆する網部１３は網織りされた布からなるため、内側の通気性を良好にでき、日差しによって内側に熱気がこもるのを防ぐことができる。また、この網部１３の網織りされた布は光反射性を有するため、日差しの光を網部１３で反射させることができ、日除け効果を高めることができる。
【００２４】
また、チャイルドシート２を取外した場合等、チャイルドシート用カバー１を使用しないとき、全体を小さく折り畳むことにより前記収納袋１７に収納することができ、小形にした状態で保管することができる。  尚、以上説明した実施の形態では、口部１１側を伸縮部１２とし、底部側を網部１３としたが、その他、口部側及び底部側の全体を伸縮自在に構成してもよい。また、底部側を網織りされた布からなる構成としたが、その他、口部側及び底部側の全体を網織りされた布からなる構成としてもよい。
【００２５】
【発明の効果】
以上詳述したように第１発明によれば、伸縮部を深さ方向へ伸ばすことによりチャイルドシートを全体的に被覆することができるため、背凭れ部の起／倒に影響されることなくチャイルドシートを全体的に被覆することができる。しかも、網部によって内側の通気性を良好にでき、日差しによって内側に熱気がこもるのを防ぐことができる。
【００２６】
第２発明によれば、被覆性を確保しつつ伸縮部の強度を高めることができ、しかも、伸縮部を縫製によって容易に結合することができる。
【００２８】
第３発明によれば、内側の通気性を保ちつつ日差しの光を袋部で反射させることができ、日除け効果を高めることができる。
【００２９】
第４発明によれば、伸縮部及び口部のゴム紐を伸ばすことによりチャイルドシートを全体的に被覆することができるため、背凭れ部の起／倒に影響されることなくチャイルドシートを全体的に被覆することができ、しかも、日差しによってチャイルドシート用カバーの内側に熱気がこもるのを防ぐことができるとともに、日差しの光を網部で反射させることができ、日除け効果を高めることができる。また、被覆性を確保しつつ伸縮部の強度を高めることができる。
【図面の簡単な説明】
【図１】本発明に係るチャイルドシート用カバーの表裏を反転した状態の斜視図である。
【図２】本発明に係るチャイルドシート用カバー及びチャイルドシートの斜視図である。
【図３】座席部に対して背凭れ部が起きている状態のチャイルドシートにチャイルドシート用カバーを被覆した状態の斜視図である。
【図４】座席部に対して背凭れ部が倒れている状態のチャイルドシートにチャイルドシート用カバーを被覆した状態の斜視図である。
【符号の説明】
１    チャイルドシート用カバー
１１  口部
１２  伸縮部
１３  網部
１５  ゴム紐
２    チャイルドシート
【図１】
0004263414.tif 000002
【図２】
0004263414.tif 000003
【図３】
0004263414.tif 000004
【図４】
0004263414.tif 000005